(57)【要約】
【課題】　ユーザの誤操作によっても破損し難いディスクプレーヤのトレイパネル開閉装置を提供する。
【解決手段】　トレイパネル開閉装置は、前面パネル１１と、ディスクトレイと、トレイパネル２０と、バネ３０とを備えている。トレイパネル２０は、前面パネル１１の開口１３を閉塞するパネル部２１と、パネル部２０から突出する一対のアーム部２２，２６と、これらに設けられた支軸２３，２７と、アーム部２２に設けられたストッパ部２４とを有する。前面パネル１１の裏面には、支軸２３，２７を受入れる軸受け部１４，１７と、ストッパ部２４近傍に設けられた脱落防止用リブ１５ｂとを有する。ストッパ部２４がこの脱落防止用リブ１５ｂに当接することにより、前面パネル１１からトレイパネル２０が脱落することを防止する。
【選択図】　　　　図２
0003100482.tif 000002
【実用新案登録請求の範囲】
【請求項１】
　開口（１３）を有する前面パネル（１１）と、前記開口（１３）を挿通し、前後方向に移動可能に支持されたディスクトレイ（４０）と、前記前面パネル（１１）に回動自在に軸支され、前記開口（１３）を閉塞または開放するトレイパネル（２０）と、前記開口（１３）を閉塞する方向に前記トレイパネル（２０）を押圧付勢するバネ（３０）とを備え、
　前記ディスクトレイ（４０）を前進させて前記トレイパネル（２０）に当接させることにより、前記バネ（３０）による付勢力に抗して前記トレイパネル（２０）を前方に向かって回動させて前記開口（１３）を開放するディスクプレーヤのトレイパネル開閉装置であって、
　前記トレイパネル（２０）は、前記開口（１３）を閉塞するパネル部（２１）と、前記パネル部（２１）の背面両端部分から突出して設けられた一対のアーム部（２２，２６）と、前記一対のアーム部（２２，２６）のそれぞれに設けられた支軸（２３，２７）と、前記一対のアーム部（２２，２６）のうちのいずれか一方に設けられたストッパ部（２４）とを有し、
　前記バネ（３０）は、前記ストッパ部（２４）が設けられたアーム部（２２）に形成された支軸（２３）に巻き回されており、
　前記前面パネル（１１）の裏面には、前記一対のアーム部（２２，２６）のそれぞれに設けられた支軸（２３，２７）を受入れる一対の軸受け部（１４，１６）と、前記トレイパネル（２０）が前記開口（１３）を閉塞した状態において、前記一対のアーム部（２２，２６）のうちのいずれか一方に形成されたストッパ部（２４）近傍に設けられたリブ（１５ｂ）とを有し、
　前記リブ（１５ｂ）は、前記パネル部（２１）の延伸方向と平行な方向において、前記ストッパ部（２４）が設けられていない方のアーム部（２６）側に位置しており、かつ先端側に向かうにつれて横幅が減ずるように、前記ストッパ部（２４）側の側面（１５ｂ１）が傾斜して設けられており、
　前記ストッパ部（２４）が前記リブ（１５ｂ）に当接することにより、前記トレイパネル（２０）の前記前面パネル（１１）からの脱落が防止されてなる、ディスクプレーヤのトレイパネル開閉装置。
【請求項２】
　開口（１３）を有する前面パネル（１１）と、前記開口（１３）を挿通し、前後方向に移動可能に支持されたディスクトレイ（４０）と、前記前面パネル（１１）に回動自在に軸支され、前記開口（１３）を閉塞または開放するトレイパネル（２０）と、前記開口（１３）を閉塞する方向に前記トレイパネル（２０）を押圧付勢する押圧付勢手段（３０）とを備え、
　前記ディスクトレイ（４０）を前進させて前記トレイパネル（２０）に当接させることにより、前記押圧付勢手段（３０）による付勢力に抗して前記トレイパネル（２０）を前方に向かって回動させて前記開口（１３）を開放するディスクプレーヤのトレイパネル開閉装置であって、
　前記トレイパネル（２０）は、前記開口（１３）を閉塞するパネル部（２１）と、前記パネル部（２１）の背面両端部分から突出して設けられた一対のアーム部（２２，２６）と、前記一対のアーム部（２２，２６）のそれぞれに設けられた支軸（２３，２７）と、前記一対のアーム部（２２，２６）のうちのいずれか一方に設けられたストッパ部（２４）とを有し、
　前記前面パネル（１１）の裏面には、前記一対のアーム部（２２，２６）のそれぞれに設けられた支軸（２３，２７）を受入れる一対の軸受け部（１４，１６）と、前記トレイパネル（２０）が前記開口（１３）を閉塞した状態において、前記一対のアーム部（２２，２６）のうちのいずれか一方に設けられたストッパ部（２４）近傍に設けられたリブ（１５ｂ）とを有し、
　前記リブ（１５ｂ）は、前記パネル部（２１）の延伸方向と平行な方向において、前記ストッパ部（２４）が設けられていない方のアーム部（２６）側に位置しており、
　前記ストッパ部（２４）が前記リブ（１５ｂ）に当接することにより、前記トレイパネル（２０）の前記前面パネル（１１）からの脱落が防止されてなる、ディスクプレーヤのトレイパネル開閉装置。
【請求項３】
　前記リブ（１５ｂ）は、先端側に向かうにつれて横幅が減ずるように、前記ストッパ部（２４）側の側面（１５ｂ１）が傾斜して設けられている、請求項２に記載のディスクプレーヤのトレイパネル開閉装置。
【請求項４】
　前記押圧付勢手段（３０）は、前記ストッパ部（２４）が設けられたアーム部（２２）に形成された支軸（２３）に巻き回されたバネにて構成されている、請求項２または３に記載のディスクプレーヤのトレイパネル開閉装置。
【請求項５】
　請求項１から４のいずれかに記載のディスクプレーヤのトレイパネル開閉装置と、映像を表示するためのＣＲＴとを単一筐体内に有する、ディスクプレーヤ一体型テレビ受像機。
【考案の詳細な説明】
【技術分野】
【０００１】
　本考案は、ディスクプレーヤのトレイパネル開閉装置およびこのトレイパネル開閉装置を備えたディスクプレーヤ一体型テレビ受像機に関する。
【背景技術】
【０００２】
　ＣＤ（Compact Disc)やＤＶＤ（Digital Versatile Disc）等の光情報記録媒体（以下、単に「光ディスク」という。）は、通常ディスクトレイに載置されてディスクプレーヤにロード／アンロードされる。ディスクトレイは、ディスクプレーヤの筐体にローダ等の搬送機構によって移動自在に支持されており、光ディスクの出し入れ時において、前後方向に移動して光ディスクをロード／アンロードする。
【０００３】
　この種のディスクプレーヤにおいては、筐体の前面パネルにディスクトレイが出入りするための開口が設けられている。そして、ディスクトレイの先端に設けられたトレイパネルによって、ディスクトレイの収納時において、上記開口が閉塞される。
【０００４】
　しかしながら、このようなトレイパネルの開閉構造を採用した場合には、トレイパネルと開口との位置精度を高く保つために、ディスクトレイと筐体とを高い位置精度で組付けることが必要になり、この位置精度が確保されない場合には、ディスクトレイの収納時において、トレイパネルと前面パネルとの嵌め合わせにズレが生じ、装置の美観を損なう結果となってしまう。
【０００５】
　そこで、ディスクトレイにトレイパネルを設けるのではなく、ディスクプレーヤの筐体自体に回動自在にトレイパネルを取り付けた構造のトレイパネル開閉構造が提案されている。このようなトレイパネルの開閉構造に関する文献として、たとえば、特開２００２−１３３８４２号公報（特許文献１）や、特開２００２−３３４５６６号公報（特許文献２）、特開２００３−５１１８１号公報（特許文献３）などがある。
【０００６】
　このうち、特許文献２および特許文献３には、筐体の前面パネルの裏面に設けられた軸受け部に穿設された左右一対の軸受け穴にトレイパネルに設けられた一対の支軸を挿し込んでトレイパネルを回動自在に前面パネルに取り付けるとともに、一方の支軸に巻き回されたバネによってトレイパネルを閉塞方向に押圧付勢してなるトレイパネルの開閉構造が開示されている。このトレイパネルの開閉構造においては、ディスクトレイが前進することによってディスクトレイがトレイパネルの背面を前方に向かって押圧し、バネによる付勢力に抗してトレイパネルが前方に回動することによってディスクトレイの出入りが実現される。以下においては、このトレイパネルの開閉構造について、図を参照してより詳細に説明する。
【０００７】
　図７は、従来のトレイパネル開閉装置の組付け構造を示す分解斜視図であり、図８は、図７に示すトレイパネル開閉装置において、組付け後にトレイパネルを筐体の内側から見た場合の図である。なお、図示するトレイパネル開閉装置は、テレビ受像機とディスクプレーヤとが一体化されたディスクプレーヤ一体型テレビ受像機の筐体に設けられたものである。
【０００８】
　図７に示すように、フロントキャビネット１０の前面に位置する前面パネル１１には、ＣＲＴの映像表示面を露出させるための表示窓１２と、この表示窓１２の下方に位置する横長形状の開口１３とが設けられている。また、前面パネル１１の裏面の開口１３近傍には、軸受け穴が設けられた左右一対の軸受け部１４，１６が形成されている。
【０００９】
　トレイパネル２０は、上記開口１３を閉塞する横長形状のパネル部２１と、このパネル部２１の背面両端側から下方に向かって湾曲して延びる左右一対のアーム部２２，２６と、アーム部２２，２６のそれぞれに設けられた支軸２３，２７とを有している。また、アーム部２２にはストッパ部２４が設けられている。
【００１０】
　トレイパネル２０は、一方の支軸２３にバネ３０を嵌め込んだ状態で前面パネル１１に組付けられる。具体的には、前面パネルに設けられた軸受け部１４，１６の軸受け穴に支軸２３，２７が挿し込まれることによって組付けられる。
【００１１】
　図８に示すように、トレイパネル２０が前面パネル１１に組付けられた状態においては、トレイパネル２０のパネル部２１によって前面パネル１１に設けられた開口１３が閉塞される。この状態において、トレイパネル２０は、バネ３０によって後ろ向きに押圧付勢される。なお、トレイパネル２０のパネル部２１は、開口１３の上部に設けられたストッパ１３ａによって、前面パネル１１と略同一平面上に位置した状態よりも後方に移動しないように、その回動が制限されている。
【００１２】
　図８に示す閉塞状態において、トレイパネル２０のアーム部２２に設けられたストッパ部２４は、その主面が前面パネル１１の裏面と略平行となっている。このストッパ部２４は、前面パネル１１の裏面と当接しており、このストッパ部２４によってもバネ３０の付勢力に抗してトレイパネル２０の回動が制限されている。
【００１３】
　以上の組付け構造を採用することにより、トレイパネル２０による開口１３の開放および閉塞が実現されるようになる。すなわち、バネ３０による付勢力とストッパ部２４およびストッパ１３ａによるトレイパネル２０の回動の制限とにより、閉塞状態においては、トレイパネル２０によって開口１３が閉塞された状態が維持され、ディスクトレイの前進によってトレイパネル２０のパネル部２１背面が押圧されることにより、開放状態においては、トレイパネル２０が前方に向かって回動し、ディスクトレイが開口１３を介して筐体外部に引き出されることになる。
【００１４】
　上述の構造のトレイパネルの開閉構造においては、図７および図８に示すように、前面パネル１１の裏面に、位置決め用リブ１５ａと、位置決め用突起１７とが設けられている。位置決め用リブ１５ａは、ストッパ部２４近傍の前面パネル１１の裏面に突設されており、位置決め用突起１７は、ストッパ部２４が設けられたアーム部２２とは異なる方のアーム部２６に形成された支軸２７の先端近傍の前面パネル１１の裏面に突設されている。これら位置決め用リブ１５ａおよび位置決め用突起１７は、いずれもトレイパネル２０が配置された部分に対応する前面パネル１１の外側に位置しており、トレイパネル２０を挟み込むように設けられている。
【００１５】
　これら位置決め用リブ１５ａおよび位置決め用突起１７によってトレイパネル２０の横方向の移動が規制されるため、トレイパネル２０の位置決めが実現され、前面パネル１１の開口１３がトレイパネル２０のパネル部２１によって確実に閉塞されるようになり、位置ズレが生じる心配がなくなる。
【特許文献１】特開２００２−１３３８４２号公報
【特許文献２】特開２００２−３３４５６６号公報
【特許文献３】特開２００３−５１１８１号公報
【考案の開示】
【考案が解決しようとする課題】
【００１６】
　上述の構造を採用した場合には、トレイパネル開閉装置を安価にかつ美観を高めた状態で製作することができるようになる反面、ユーザの誤操作によるトレイパネルの脱落が問題となっていた。図９は、上記問題点を説明するためのディスクプレーヤ一体型テレビ受像機の前面図である。
【００１７】
　図９に示すように、本構造のトレイパネル開閉装置を備えたディスクプレーヤ一体型テレビ受像機においては、前面パネル１１の所定位置に設けられたイジェクトボタン１８を押下することにより、ディスクトレイの搬送機構が駆動し、ディスクトレイが前方に移動することによってトレイパネル２０が回動する。
【００１８】
　しかしながら、ディスクプレーヤ一体型テレビ受像機は市場に投入されてからの日も浅く、ビデオレコーダ一体型テレビ受像機とその外観構造において非常に近似している。ビデオレコーダ一体型テレビ受像機においては、前面パネルに設けられたテープ投入口を閉塞するパネルに媒体であるビデオテープを直接押し当ててビデオテープを装置内に挿し込む構造が採用されており、ユーザによっては、ディスクプレーヤ一体型テレビ受像機においても同様の操作にて光ディスクが装填されるものと誤認してしまう場合がある。
【００１９】
　この場合、ユーザはトレイパネル２０のパネル部２１を後方に向かって押し下げようとし、トレイパネル開閉装置を破損してしまう場合があった。特に、図９に示すように、パネル部２１の両側端（図９中、領域Ａ）を所定の押圧力以上で押し下げた場合には、トレイパネル２０のアーム部２２が撓み、軸受け部１４から脱落してしまうことがあった。
【００２０】
　したがって、本考案は、上述の問題点を解決すべくなされたものであり、ユーザの誤操作によっても破損し難いディスクプレーヤのトレイパネル開閉装置およびこれを備えたディスクプレーヤ一体型テレビ受像機を提供することを目的とする。
【課題を解決するための手段】
【００２１】
　本考案の第１の局面に基づくディスクプレーヤのトレイパネル開閉装置は、開口を有する前面パネルと、上記開口を挿通し、前後方向に移動可能に支持されたディスクトレイと、前面パネルに回動自在に軸支され、上記開口を閉塞または開放するトレイパネルと、上記開口を閉塞する方向にトレイパネルを押圧付勢するバネとを備えており、ディスクトレイを前進させてトレイパネルに当接させることにより、バネによる付勢力に抗してトレイパネルを前方に向かって回動させて上記開口を開放するものである。トレイパネルは、上記開口を閉塞するパネル部と、パネル部の背面両端部分から突出して設けられた一対のアーム部と、一対のアーム部のそれぞれに設けられた支軸と、一対のアーム部のうちのいずれか一方に設けられたストッパ部とを有している。トレイパネルを押圧付勢するバネは、ストッパ部が設けられたアーム部に形成された支軸に巻き回されている。前面パネルの裏面には、一対のアーム部のそれぞれに設けられた支軸を受入れる一対の軸受け部と、トレイパネルが開口を閉塞した状態において、一対のアーム部のうちのいずれか一方に形成されたストッパ部近傍に設けられたリブとを有する。このリブは、パネル部の延伸方向と平行な方向において、ストッパ部が設けられていない方のアーム部側に位置している。また、このリブは、先端側に向かうにつれて横幅が減ずるように、ストッパ部側の側面が傾斜して形成されている。本トレイパネル開閉装置にあっては、ストッパ部がこのリブに当接することにより、前面パネルからトレイパネルが脱落することを防止している。
【００２２】
　このように構成することにより、トレイパネルのパネル部に外力が加わってアーム部が撓んだ場合にも、トレイパネルが前面パネルから脱落することが防止されるようになる。また、トレイパネルを前面パネルに組付ける際にストッパ部が脱落防止用リブに引っ掛かることがなくなるため、組付け作業の容易化が図られるようになる。さらには、巻きバネにてトレイパネルを押圧付勢する構成とすることにより、非常に安価にトレイパネル開閉装置を製作することが可能になる。
【００２３】
　本考案の第２の局面に基づくディスクプレーヤのトレイパネル開閉装置は、開口を有する前面パネルと、上記開口を挿通し、前後方向に移動可能に支持されたディスクトレイと、前面パネルに回動自在に軸支され、上記開口を閉塞または開放するトレイパネルと、上記開口を閉塞する方向にトレイパネルを押圧付勢する押圧付勢手段とを備えており、ディスクトレイを前進させてトレイパネルに当接させることにより、押圧付勢手段による付勢力に抗してトレイパネルを前方に向かって回動させて上記開口を開放するものである。トレイパネルは、上記開口を閉塞するパネル部と、パネル部の背面両端部分から突出して設けられた一対のアーム部と、この一対のアーム部のそれぞれに設けられた支軸と、一対のアーム部のうちのいずれか一方に設けられたストッパ部とを有する。前面パネルの裏面には、一対のアーム部のそれぞれに設けられた支軸を受入れる一対の軸受け部と、トレイパネルが上記開口を閉塞した状態において、一対のアーム部のうちのいずれか一方に設けられたストッパ部近傍に設けられたリブとを有する。このリブは、パネル部の延伸方向と平行な方向において、ストッパ部が設けられていない方のアーム部側に位置している。本トレイパネル開閉装置にあっては、ストッパ部がこのリブに当接することにより、前面パネルからトレイパネルが脱落することを防止している。
【００２４】
　このように構成することにより、トレイパネルのパネル部に外力が加わってアーム部が撓んだ場合にも、トレイパネルが前面パネルから脱落することが防止されるようになる。
【００２５】
　上記本考案の第２の局面に基づくディスクプレーヤのトレイパネル開閉装置にあっては、上記リブは、先端側に向かうにつれて横幅が減ずるように、ストッパ部側の側面が傾斜して設けられていることが好ましい。
【００２６】
　このように構成することにより、トレイパネルを前面パネルに組付ける際にストッパ部が脱落防止用リブに引っ掛かることがなくなるため、組付け作業の容易化が図られるようになる。
【００２７】
　上記本考案の第２の局面に基づくディスクプレーヤのトレイパネル開閉装置にあっては、上記押圧付勢手段が、ストッパ部が設けられたアーム部に形成された支軸に巻き回されたバネにて構成されていることが好ましい。
【００２８】
　このように、押圧付勢手段を巻きバネにて構成することにより、非常に安価にトレイパネル開閉装置を製作することが可能になる。
【００２９】
　本考案に基づくディスクプレーヤ一体型テレビ受像機は、上述のいずれかのディスクプレーヤのトレイパネル開閉装置と、映像を表示するためのＣＲＴとを単一筐体内に有している。
【考案の効果】
【００３０】
　本考案によれば、ユーザの誤操作によっても破損し難いディスクプレーヤのトレイパネル開閉装置およびこれを備えたディスクプレーヤ一体型テレビ受像機を提供することができるようになる。
【考案を実施するための最良の形態】
【００３１】
　以下、本考案の一実施の形態について、図を参照して説明する。なお、本実施の形態におけるトレイパネル開閉装置は、テレビ受像機とディスクプレーヤとが一体化されたディスクプレーヤ一体型テレビ受像機の筐体に設けられたものである。
【００３２】
　図１は、本考案の実施の形態におけるトレイパネル開閉装置の組付け構造を示す分解斜視図である。また、図２は、図１に示すトレイパネルの開閉装置において、組付け後にトレイパネルを筐体の内側から見た場合の図である。
【００３３】
　図１に示すように、フロントキャビネット１０の前面に位置する前面パネル１１は、ＣＲＴの映像表示面を露出させるための表示窓１２と、この表示窓１２の下方に位置する横長形状の開口１３とを備えている。また、前面パネル１１の裏面の開口１３近傍には、軸受け穴が設けられた左右一対の軸受け部１４，１６が形成されている。フロントキャビネット１０は、ポリスチレン樹脂やＡＢＳ樹脂などを用いた射出成形品として製作される。
【００３４】
　トレイパネル２０は、上記開口１３を閉塞する横長形状のパネル部２１と、このパネル部２１の背面両端側から下方に向かって湾曲して延びる左右一対のアーム部２２，２６と、これらアーム部２２，２６のそれぞれに設けられた支軸２３，２７とを有している。また、アーム部２２は、その下端部分にストッパ部２４を有している。トレイパネル２０は、ポリスチレン樹脂やＡＢＳ樹脂などを用いた射出成形品として製作される。
【００３５】
　トレイパネル２０は、一方の支軸２３にバネ３０を嵌め込んだ状態で前面パネル１１に組付けられる。具体的には、前面パネルに設けられた軸受け部１４，１６の軸受け穴に支軸２３，２７が挿し込まれることによって組付けられる。
【００３６】
　図２に示すように、トレイパネル２０が前面パネル１１に組付けられた状態においては、トレイパネル２０のパネル部２１によって前面パネル１１に設けられた開口１３が閉塞される。この状態において、トレイパネル２０は、バネ３０によって後ろ向きに押圧付勢される。なお、トレイパネル２０のパネル部２１は、開口１３の上部に設けられたストッパ１３ａによって、前面パネル１１と略同一平面上に位置した状態よりも後方に移動しないように、その回動が制限されている。
【００３７】
　図２に示す閉塞状態において、トレイパネル２０のアーム部２２に設けられたストッパ部２４は、その主面が前面パネル１１の裏面と略平行となっている。このストッパ部２４は、前面パネル１１の裏面と当接しており、このストッパ部２４によってもバネ３０の付勢力に抗してトレイパネル２０の回動が制限されている。
【００３８】
　図１および図２に示すように、前面パネル１１の裏面には、位置決め用リブ１５ａと、位置決め用突起１７とが設けられている。位置決め用リブ１５ａは、ストッパ部２４近傍の前面パネル１１の裏面に突設されており、位置決め用突起１７は、ストッパ部２４が設けられたアーム部２２とは異なる方のアーム部２６に形成された支軸２７の先端近傍の前面パネル１１の裏面に突設されている。これら位置決め用リブ１５ａおよび位置決め用突起１７は、いずれもトレイパネル２０が配置された部分に対応する前面パネル１１の外側に位置しており、トレイパネル２０を挟み込むように設けられている。
【００３９】
　これら位置決め用リブ１５ａおよび位置決め用突起１７によってトレイパネル２０の横方向の移動が規制されるため、トレイパネル２０の位置決めが実現され、前面パネル１１の開口１３がトレイパネル２０のパネル部２１によって確実に閉塞されるようになり、位置ズレが生じる心配がなくなる。
【００４０】
　また、図１および図２に示すように、前面パネル１１の裏面には、脱落防止用リブ１５ｂが設けられている。この脱落防止用リブ１５ｂは、トレイパネル２０が開口１３を閉塞した状態において、ストッパ部２４の近傍に設けられている。より詳しくは、パネル部２１の延伸方向と平行な方向（すなわち筐体の横方向）において、ストッパ部２４が設けられていない方のアーム部２６側のストッパ部２４近傍に設けられている。
【００４１】
　この脱落防止用リブ１５ｂは、トレイパネル２０のストッパ部２４を基準に上述の位置決め用リブ１５ａと対称の位置にある。すなわち、閉塞状態において、脱落防止用リブ１５ｂと位置決め用リブ１５ａとの間にストッパ部２４が位置することになる。
【００４２】
　この脱落防止用リブ１５ｂは、トレイパネル２０のアーム部２２が撓んだ場合に、アーム部２２が前面パネル１１の主面と平行な方向において内側に湾曲し、アーム部２２に設けられた支軸２３が軸受け部１４から脱落することを防止するために設けられるものである。すなわち、位置決め用突起１７では規制しきれない撓みによるアーム部２２の横方向（図２中における右方向）への移動を規制する部位である。この脱落防止用リブ１５ｂを設けることにより、トレイパネル２０のパネル部２１に無理な外力が加わった場合にも、トレイパネル２０が前面パネル１１から脱落することが防止されるようになる。
【００４３】
　図３は、本実施の形態におけるトレイパネル開閉装置の閉塞状態を示す模式断面図であり、図４は開放状態を示す模式断面図である。これらの図を参照して、トレイパネルの開閉動作について説明する。
【００４４】
　図３に示すように、トレイパネル２０は、自由状態においてパネル部２１によって前面パネル１１の開口１３を閉塞した状態に維持されている。この状態において、トレイパネル２０のパネル部２１に後ろ方向に向かって外力が加わっても、前面パネル１１に設けられたストッパ１３ａにトレイパネル２０のパネル部２１が当接し、かつパネル部２１に設けられたストッパ部２４がトレイパネル２０の裏面に当接することにより、トレイパネル２０の回動が規制されるため、トレイパネル２０は回動しない。また、この外力によってトレイパネル２０のアーム部２２に撓みが生じた場合にも、上述のとおりトレイパネル２０の横方向の移動が規制されるため、トレイパネル２０が横方向に位置ズレを起こして前面パネル１１から脱落することもない。
【００４５】
　この状態において、ユーザがイジェクトボタンを操作等した場合には、図４に示すように、ディスクトレイ４０の搬送機構が駆動し、ディスクトレイ４０が前方に向かって移動する。このとき、前方に向かって移動したディスクトレイの前方端がトレイパネル２０のパネル部２１の背面に当接し、トレイパネル２０を前方に向かって押圧する。この押圧力により、バネ３０による付勢力に抗してトレイパネル２０が前方に向かって回動し、ディスクトレイ４０が開口１３を介して筐体外部に引き出されることになる。
【００４６】
　なお、再度ユーザがイジェクトボタンを操作等した場合には、ディスクトレイ４０が後方に向かって移動し、バネ３０による付勢力によってトレイパネル２０も後ろ方向に回動し、図３に示す如くの閉塞状態に戻る。
【００４７】
　図５および図６は、本実施の形態における位置決め用リブおよび脱落防止用リブの形状を示す上面図である。
【００４８】
　図５および図６に示すように、本実施の形態における位置決め用リブ１５ａおよび脱落防止用リブ１５ｂは、いずれもフロントキャビネット１０の前面パネル１１の裏面から後方に向かって突出して設けられる。図５に示すリブ構造では、位置決め用リブ１５ａおよび脱落防止用リブ１５ｂがいずれも略矩形に形成された場合を示している。
【００４９】
　これに対し、図６に示すリブ構造では、脱落防止用リブ１５ｂのアーム部２２側の側面１５ｂ１の一部が傾斜している。すなわち、脱落防止用リブ１５ｂは、先端側に向かうにつれ横幅が減ずるように側面の一部が切り欠かれている。このような形状を採用した場合には、前面パネル１１にトレイパネル２０を組みつける際に、位置決め用リブ１５ａと脱落防止用リブ１５ｂとの間に、トレイパネル２０のアーム部２２に設けられたストッパ部２４がスムーズに挿し込まれるようになるため、組付け作業の作業性が向上するようになる。
【００５０】
　以上の構造のトレイパネル開閉装置とすることにより、ユーザが誤ってトレイパネルのパネル部を後方に向かって押し下げようとした場合にも、トレイパネルが前面パネルから脱落するといった不具合が生じなくなるため、破損の生じ難いディスクプレーヤのトレイパネル開閉装置とすることが可能になる。
【００５１】
　上述の実施の形態においては、ディスクプレーヤ一体型テレビ受像機を例示して本考案に基づくトレイパネルの開閉装置について説明を行なったが、テレビ受像機が一体化されていないディスクプレーヤにも本考案を適用することは当然に可能である。また、本考案は、ディスクプレーヤであればどのようなプレーヤに対しても適用可能であり、映像ソフトを再生するプレーヤに限られるものではない。たとえば、パーソナルコンピュータの外部インターフェースとしてのディスクドライブ装置や音楽ソフト再生用のＣＤプレーヤなどにも当然に適用可能である。
【００５２】
　このように、今回開示した上記実施の形態はすべての点で例示であって、制限的なものではない。本考案の技術的範囲は実用新案登録請求の範囲によって画定され、また実用新案登録請求の範囲の記載と均等の意味および範囲内でのすべての変更を含むものである。
【図面の簡単な説明】
【００５３】
【図１】本考案の実施の形態１におけるトレイパネル開閉装置の組付け構造を示す分解斜視図である。
【図２】図１に示す組付け構造を有するトレイパネル開閉装置において、組付け後にトレイパネルを筐体の内側から見た場合の図である。
【図３】本考案の実施の形態におけるトレイパネル開閉装置の閉塞状態を示す模式断面図である。
【図４】本考案の実施の形態におけるトレイパネル開閉装置の開放状態を示す模式断面図である。
【図５】本考案の実施の形態における位置決め用リブおよび脱落防止用リブの形状を示す上面図である。
【図６】本考案の実施の形態における位置決め用リブおよび脱落防止用リブの形状の他の例を示す上面図である。
【図７】従来のトレイパネル開閉装置の組付け構造を示す分解斜視図である。
【図８】図７に示す組付け構造を有するトレイパネル開閉装置において、組付け後にトレイパネルを筐体の内側から見た場合の図である。
【図９】図７に示す組付け構造を有するトレイパネル開閉装置の問題点を説明するためのディスクプレーヤ一体型テレビ受像機の前面図である。
【符号の説明】
【００５４】
　１０　フロントキャビネット、１１　前面パネル、１２　表示窓、１３　開口、１３ａ　ストッパ、１４，１６　軸受け部、１５ａ　位置決め用リブ、１５ｂ　脱落防止用リブ、１７　位置決め用突起、１８　イジェクトボタン、２０　トレイパネル、２１　パネル部、２２，２６　アーム部、２３，２７　支軸、２４　ストッパ部、３０　バネ、４０　ディスクトレイ、５０　光ディスク。
【図１】
0003100482.tif 000003
【図２】
0003100482.tif 000004
【図３】
0003100482.tif 000005
【図４】
0003100482.tif 000006
【図５】
0003100482.tif 000007
【図６】
0003100482.tif 000008
【図７】
0003100482.tif 000009
【図８】
0003100482.tif 000010
【図９】
0003100482.tif 000011